(57)【特許請求の範囲】
【請求項１】
躯体開口部を開閉するためのドア装置であって、該ドア装置は、躯体開口部に取付けたドア枠と、該ドア枠に開閉自在に取り付けられるドア本体を備え、
該ドア本体は、ドア框を枠組みしてガラスを嵌め込んで成り、該ドア框には、内／外側ガスケットを備え、各ガスケットでガラスの外周縁部を前記ドア本体の厚み方向一方側で気密に挟持してドア本体にドア框とガラスとで囲まれたドア側凹空間を構成する一方、
前記ドア本体に対して揺動する開閉障子を開閉可能に設け、該開閉障子は、枠組みした障子框に、ドア本体に対して前記開閉障子を閉鎖した状態で前記ガラスとドアの厚み方向で対向するガラスを嵌め込んで成り、
前記ドア枠と前記ドア本体との間に、ドア本体閉鎖時にドア本体とドア枠との間を気密に塞ぐシール部材と、前記ドア框と前記開閉障子との間に開閉障子閉鎖時に前記障子框とドア框との間を気密に塞ぐシール部材と、をドア枠とドア框夫々の開口の全周に亘って設け、
前記障子框に、内／外側ガスケットを備え、各ガスケットでガラスを開閉障子の厚み方向他方側で気密に挟持して前記開閉障子に前記ドア框とガラスで囲まれる障子側凹空間を構成すると共に、外周方向に突出するカバー部を形成し、該カバー部と前記ドア框との間に前記開閉障子の開閉部材を設け、
前記開閉障子の閉鎖状態では、前記対向するガラス間に密閉空間を形成するように構成したことを特徴とするドア装置。
【請求項２】
前記ドア框を構成する夫々の左右竪框材と上下横框材のドアの厚み方向で対向する表面壁の肉厚を異なる厚さとしたことを特徴とする請求項１記載のドア装置。
【発明の詳細な説明】
【０００１】
【発明の属する技術分野】
この発明は、躯体開口部を閉鎖するドア装置に関し、詳しくは防音機能を備えたドア装置に関する。
【０００２】
【従来の技術】
前記ドア装置として、ドア框に防音合わせガラスを嵌め込んでドア本体を構成した框ドアがある。また、ドア框にガラスを２重に嵌め込み、ガラス間に形成される密閉空間に空気層を密封するようにドア本体を構成した框ドアがある。
【０００３】
【発明が解決しようとする課題】
前記従来の防音合わせガラスを用いたドア装置では、防音合わせガラスが非常に高価であるという問題があった。また、遮音性能の向上には空気層を大きくするのが一般的な考えであり、ガラスを２重に嵌め込んで成るドア装置において空気層を大きくするとガラス間隔を広く取ることとなり、ドア本体の厚さが厚くなる問題があった。また、ガラスを２重に嵌め込んだものでは、その対向するガラスの内面が結露等により汚れる恐れがあった。更に、ドア本体を構成するドア框の各框材は、図２を参照して説明すると、その厚み方向で対向する表面壁３４，３５の肉厚が同一の厚さであったので、一方側の表面壁の振動が他方側の表面壁に伝わり、他方側の表面壁が共鳴して遮音性能を低下する問題があった。
この発明の課題は、遮音性能が高く、ドア本体の厚さを厚くすることがないと共に２重に備えたガラスの清掃が可能なドア装置を提供することである。
【０００４】
【課題を解決するための手段】
前記課題解決のため本願発明は、躯体開口部を開閉するためのドア装置であって、該ドア装置は、躯体開口部に取付けたドア枠と、該ドア枠に開閉自在に取り付けられるドア本体を備え、該ドア本体は、ドア框を枠組みしてガラスを嵌め込んで成り、該ドア框には、内／外側ガスケットを備え、各ガスケットでガラスの外周縁部を前記ドア本体の厚み方向一方側で気密に挟持してドア本体にドア框とガラスとで囲まれたドア側凹空間を構成する一方、前記ドア本体に対して揺動する開閉障子を開閉可能に設け、該開閉障子は、枠組みした障子框に、ドア本体に対して前記開閉障子を閉鎖した状態で前記ガラスとドアの厚み方向で対向するガラスを嵌め込んで成り、前記ドア枠と前記ドア本体との間に、ドア本体閉鎖時にドア本体とドア枠との間を気密に塞ぐシール部材と、前記ドア框と前記開閉障子との間に開閉障子閉鎖時に前記障子框とドア框との間を気密に塞ぐシール部材と、をドア枠とドア框夫々の開口の全周に亘って設け、前記障子框に、内／外側ガスケットを備え、各ガスケットでガラスを開閉障子の厚み方向他方側で気密に挟持して前記開閉障子に前記ドア框とガラスで囲まれる障子側凹空間を構成すると共に、外周方向に突出するカバー部を形成し、該カバー部と前記ドア框との間に前記開閉障子の開閉部材を設け、前記開閉障子の閉鎖状態では、前記対向するガラス間に密閉空間を形成するように構成したことを特徴とする（請求項１）。これによればドア本体と開閉障子とにより閉鎖空間を形成するので、ドア本体の厚さを厚くすることなく広い密閉空間が形成されるので、その密閉空間に密封される空気層も大きく、高い遮音性能が発揮される。更に、ドア本体に対して開閉障子を揺動自在に設けてあるので、ドアの厚み方向で対向するガラス面が結露等によって汚れたとしても、開閉障子を開成状態とすることで簡単に清掃が行え好ましい。また、シール部材によりドアの厚み方向一方側から他方側への音の伝播が妨げられる。しかも、ドア装置の見栄えを良くしており、意匠上好ましいものとしている。
【０００５】
前記ドア框を構成する夫々の左右竪框材と上下横框材のドアの厚み方向で対向する表面壁の肉厚を異なる厚さとしたことを特徴とする（請求項２）。表面壁の肉厚が異なることにより、厚み方向の一方側の表面壁から伝達された振動による他方の表面壁の共鳴が抑制され、遮音性能が向上する。
【０００７】
【発明の実施の形態】
本願発明の実施の形態について図１〜図６に基づいて説明する。ドア装置１は、ドア枠２とドア本体３と開閉障子４とから構成されている。ドア枠２は、図１に示すようにアルミ型材から成る左右の竪枠５，６の上下に、アルミ型材から成る上下の横枠７，８が枠組みされて構成される。夫々の左右の竪枠５，６と上下の横枠７，８には、図２、３に示すように、枠組みされた状態で枠開口（出入口開口）９に向けて立ち上がり、各枠５〜８の長手方向に伸びるシール部材取付部１０が形成されており、各シール部材取付部１０のドア本体３と対向する面にはシール取付溝１１が全長に渡って形成されている。この各シール取付溝１１にはシール部材１２が夫々嵌合され、枠開口９の全周にわたり、ドア本体３の外周縁部分に気密に圧接可能となっている。このドア枠２は、躯体開口部に取付けられている。
【０００８】
ドア本体３は、図１の如くアルミ型材から成る左右のドア用竪框材１３，１４に、アルミ型材から成る上下のドア用横框材１５，１６と中桟１７とが枠組みされたドア框１８に、中桟１７を挟んで２枚のガラス１９，１９を上下に嵌め込んで構成されている。図２〜図４に示すように各ドア用框材１３〜１６と中桟１７とはその内部が中空となっており、それらの中空空間２０にはロックウール等の吸音材２１が充填されている。左右のドア用竪框材１３，１４は、各ドア用框材１３〜１６及び中桟１７を枠組みした状態でドア框開口２２に向けて（ドア框内周に向けて）立ち上がるドア本体厚み方向の一方側（外側）の外側立片２３と他方側（内側）の内側立片２４とが形成されている（図２）。内側立片２４のガスケット取付溝には内側ガスケット２６が嵌合されており、外側立片２３には外側ガスケット２７を備えた支持片２８が設けられている。略同様に、上下のドア用横框材１５，１６には、外側立片３０と内側支持部２９が形成され、また、中桟１７には、外側立片３２と内側立片３１とが形成されている（図３）。上下のドア用横框材１５，１６と中桟１７の外側立片３０，３２の先端部分には、外側ガスケット２７が設けられ、内側立片３１と内側支持部２９のガスケット取付溝には内側ガスケット２６が設けられている。これらの内、外側ガスケット２６，２７は、ガラス１９の外周縁部をドア本体３の厚み方向中央より外側寄りで気密に挟持しており、ドア本体３にドア框１８とガラス１９とで囲まれたドア側凹空間３３を構成している。
【０００９】
また、各ドア用框材１３〜１６及び中桟１７はその厚み方向で対向する内、外側の表面壁３４，３５の肉厚が異なっており、図２、図３に示すように外側の表面壁３５の肉厚Ｌ１は内側の表面壁３４の肉厚Ｌ２より厚くなっており、一方の表面壁からの音響による他方の表面壁の共鳴を緩和し、一方の表面壁からの振動による他方の表面壁の振動を抑制するようになっている。また、図２において左のドア用竪框材１３の中空空間２０には図示しない適当な引寄せ装置が内装されており、引寄せ装置はドア本体３を閉鎖した状態でドア本体３をシール部材取付部１０に向けて引寄せ、ドア本体３の外周縁部内側表面を前記ドア枠２に設けたシール部材１２に気密に圧接する。また、ドア框１８のドア框開口２２に対応する厚み方向他方側に全周にわたって形成されたシール取付溝には、シール部材３７が嵌装されいる。このドア本体３は、右のドア用竪框材１４と竪枠６とに設けた図示しない蝶番によってドア枠２に開閉自在に取付けてある。
【００１０】
開閉障子４は、図５に示すようにアルミ型材から成る左右の障子用竪框材３８，３９と上下の障子用横框材４０，４１との夫々の長手方向両端を当接し、各框材３８〜４１の中空空間４２の端部に嵌入したＬ字形状のコーナーブロック４３にカシメ片部４４をかしめて４隅で組み付けた障子框４５にガラス４６を嵌め込んで構成されている。図２、図３に示すように各障子用框材３８〜４１には、障子框４５内周（障子開口）に向けて立ち上がるドア本体厚み方向の一方側（外側）の外側立片４７が形成され、他方側（内側）には、支持片４８が設けられており、各外側立片４７と支持片４８とに設けられたガスケット４９，５０によって、ガラス４６を開閉障子４の厚み方向中央より内側寄りで気密に挟持し、開閉障子４に各框材３８〜４１とガラス４６で囲まれる障子側凹空間５１を構成している。
【００１１】
障子框４５は、外周方向に突出するカバー部５２が形成されており、図２、図５に示すように、右側のカバー部５２と右側ドア用竪框材１４との間に蝶番５３が設けられ、開閉障子４がドア本体３に対して揺動して開閉可能に取付けられている。また、左側の障子用竪框３８には掛け金５４が揺動可能に設けられており、左側のドア用框材１３に取付けられた受け５５に係合し、ドア本体３に対して開閉障子４を閉鎖状態に保持するようになっている。尚、５６は掛け金５４を回動する際に、掛け金５４に係合するキー５７を挿入するためのキー挿入部である。また、図３、図４に示すように、下側の障子用横框材４１の下面５８には、障子側支持部材５９が取付けられており、下側のドア用横框材１６に設けたドア側支持部材６０とで開閉障子４を支持するようになっている。このように、蝶番５３と掛け金５４と受け５５と支持部材５９，６０とが開閉障子４閉鎖状態でカバー部５２に覆われる位置に設けられていることと、障子框４５をかしめて枠組みしたこととにより、ドア装置１の見栄えを良くしており、意匠上好ましいものとしている。この開閉障子４は、ドア本体３の上下に夫々開閉可能に設けられており、ドア本体３の上下のガラス１９，１９との間に上下２個所の密閉空間６１，６１を形成している。
【００１２】
ドア本体３に対して、開閉障子４は通常閉鎖状態とされており、厚み方向一方側の開閉障子４の縁部全周がドア本体３のシール部材３７に気密に圧接している。この閉鎖状態でドア本体３のガラス１９と開閉障子４のガラス４６との間には、ドア側凹空間３３と障子側凹空間５１とに気密に塞がれた密閉空間６１が形成されている。ドア本体３による枠開口９閉鎖時には、図示しない引寄せ装置によってドア枠２のシール部材１２にドア本体３が圧接する。この枠開口９の閉鎖状態では、ドア本体３に対して開閉障子４が厚み方向一方側に設けられているので対向するドア本体３のガラス１９と開閉障子４のガラス４６間に形成される密閉空間６１は大きな空気層を有することができ、一般的に大きな空気層は遮音効果が高いので、騒音は密閉空間６１により大きく抑制される。そして、ドア框１８の内側表面壁３４と外側表面壁３５の厚さが異なることにより、一方の表面壁の振動が他方の表面壁に伝わるが、他方の表面壁では共鳴による振動が抑制されるので、ドア装置１は、非常に高い遮音性能を発揮することとなる。
【００１３】
また、塵が付着したり結露等によりガラス１９，４６が汚れた場合には、図６に示すようにキー挿入部５６にキー５７を挿入して掛け金５４にキー５７を係合し、掛け金５４をキー５７により回転して受け５５から外し、開閉障子４を開き、ガラス１９，４６を清掃できる。また、ドア装置１はドア本体３に開閉障子４を設けたのでドア本体３の厚さを厚くせず、ドア本体３及びドア枠２は、一重のガラスを備えたドア装置（開閉障子を備えていない框ドア装置）と略同じとすることができ、ドア装置１と単一のガラスを備えたドア装置とで、ドア枠とドア本体を構成する部品を共用でき好ましい。
【００１４】
【発明の効果】
以上のように本願発明では、ドア框にガラスを嵌め込んで構成したドア本体に障子框にガラスを嵌め込んで構成した開閉障子を揺動自在に設け、ドア本体に対して開閉障子を閉鎖した状態で、対向するガラス間に密閉空間を形成するので、ドア本体を厚くすることなく広い密閉空間を形成でき、その密閉空間内の空気層により高い遮音効果が発揮される。また、開閉障子が揺動自在に設けてあるので、ガラス面が汚れても、開閉障子を開いて清掃ができ好ましい。また、ドア框を構成する各框材のドア本体厚み方向で対向する一方の表面壁の肉厚と他方の表面壁の肉厚を違う厚さとしたので、一方の表面壁からの振動による他方の表面壁の共鳴が抑制され、遮音性能が向上する。更に、ドア枠とドア本体との間に設けたシール部材及びドア本体と開閉障子との間に設けたシール部材により、ドア枠とドア本体間及びドア本体と開閉障子間が気密に閉鎖されるので、音の漏れが妨げられる。しかも、障子框に外周方向に突出するカバー部を形成し、カバー部と前記ドア框との間に前記開閉障子の開閉部材がカバー部に覆われる位置に設けられていることによりドア装置の見栄えを良くしており、意匠上好ましいものとしている。
【図面の簡単な説明】
【図１】ドア装置の正面図である。
【図２】図１のＩＩ−ＩＩ線断面図である。
【図３】図１のＩＩＩ−ＩＩＩ線断面図で、中桟部分は省略してある。
【図４】図１のＩＶ−ＩＶ線断面図である。
【図５】開閉障子の一部断面正面図である。
【図６】開閉障子をドア本体に対して開いた図である。
【符号の説明】
１  ドア装置
２  ドア枠
３  ドア本体
４  開閉障子
１１，２４  表面壁
１２，３７  シール部材
１３  ドア用左竪框部材
１４  ドア用右竪框部材
１５  ドア用上横框部材
１６  ドア用下横框部材
１８  ドア框
１９，４６  ガラス
２６  内側ガスケット
２７  外側ガスケット
３３  ドア側凹空間
５１  障子側凹空間
５２  カバー部
４５  障子框
６１  密閉空間
【図１】
0004743376.tif 000002
【図２】
0004743376.tif 000003
【図３】
0004743376.tif 000004
【図４】
0004743376.tif 000005
【図５】
0004743376.tif 000006
【図６】
0004743376.tif 000007